(57)【要約】      （修正有）【課題】構造が簡単で操作性が良く、どの様なタイプの引き出し・引き戸・扉に対しても確実な仮止め機能が発揮される仮止め具を提供する。【解決手段】尖端１Ａと両斜面１Ｂ，１Ｃと両側面１Ｄ，１Ｅと後端面１Ｆとで側面視三角形状に形成した本体１からなり、前記本体１は芯材を発泡スチロールとするとともに表面材をシリコン系ゴム材とし、前記本体の後端面１Ｆに付設した紐体７と、前記紐体の自由端に付設した固着手段９とを備える。【選択図】図１
0003152750.tif 000002
【実用新案登録請求の範囲】
【請求項１】
弾性材で形成された芯材と該芯材の外周を被覆しゴム材で形成された表面材とからなり側面視三角形状をなす板状体からなることを特徴とする仮止め具。
【請求項２】
芯材は発泡スチロールから構成され、表面材はシリコン系充填材から構成されていることを特徴とする請求項１記載の仮止め具。
【請求項３】
板状体の基部に紐体を介して固着手段が取り付けられていることを特徴とする請求項１または２記載の仮止め具。
【請求項４】
板状体の内部に一部を外方へ張り出させる張り出し手段が設けられていることを特徴とする請求項１〜３のうちいずれか１項記載の仮止め具。
【請求項５】
張り出し手段は、板状体の内部に収納された楔体と、該楔体を板状体の挿入方向に移動させる移動手段とから構成されていることを特徴とする請求項４記載の仮止め具。
【考案の詳細な説明】
【技術分野】
【０００１】
本考案は、家具や冷蔵庫の扉、食器戸棚の引き戸、机やタンスの引き出し等の開閉部材が地震時等の揺れによって不用意に開かないように固定するための仮止め具に係り、特に、種々のタイプの扉、引き戸、引き出し等に適応でき、構造が簡単で操作性が良く、確実に固定することができるように工夫したものに関する。
【背景技術】
【０００２】
従来、地震時等の揺れによって不用意に家具類の扉、引き戸、引き出し等の開閉部材が開かないように固定する仮止め具が提供されている。
【０００３】
その具体例として、地震の際に扉が開かないようにする観音開き扉の地震開放阻止具がある。その構成は、観音開き扉の一方扉面に吸着する一方吸盤と、他方扉面に吸着する他方吸盤とを扉開放阻止紐により連結固着するものである（例えば、特許文献１参照。）。
【０００４】
また、地震の際の振動により家具の扉が開くことを防止するようにした家具扉の開放防止装置がある。その構成は、支持体の一端には回動軸を突設し、該回動軸にはレバーの一端に設けた透孔を緩嵌し、該レバーを支持体に突設した小突起により略水平状態に支持させるものである（例えば、特許文献２参照。）。
【０００５】
更に、ガラス戸のガタつきを防止する引戸の仮止め具がある。その構成は、湾曲又は屈曲された帯状の弾性材の一端の一面から該弾性材の長さ方向に対して交叉する方向に延びる第１の係止片を設け、前記弾性材の他端部分に前記第１の係止片とは反対する方向に延びる第２の係止片を設けて成るものである（例えば、特許文献３参照。）。
【先行技術文献】
【特許文献】
【０００６】
【特許文献１】実用新案登録第３１０８７３８号公報
【特許文献２】実用新案登録第３０１５５５２号公報
【特許文献３】実開昭５０−１４３８３１号公報
【考案の概要】
【考案が解決しようとする課題】
【０００７】
前記実用新案登録第３１０８７３８号公報の観音開き扉の地震開放阻止具は、扉開放阻止紐の両端に吸盤を設けたものであるから、構造が極めて簡単で誤作動が生じないというメリットを有するものの、吸盤との吸着面がガラス等の平滑面でないと吸着しない。また、軽い衝撃で吸着が外れ易く、緊急時の用をなさないおそれがあるという問題点がある。
【０００８】
また、前記実用新案登録第３０１５５５２号公報の家具扉の開放防止装置は、扉の確実な開放防止対策が可能である反面、機構・構造が複雑でその操作性も煩雑であり、日常生活の中で頻繁に開閉操作される扉の開閉に支障を来すとともに、引戸には適用できないという問題点がある。
【０００９】
更に、前記実開昭５０−１４３８３１号公報の引戸の仮止め具は、２枚の引戸にその用途が限定され扉・引き出しには使えない他、弾性材の両端間に設けた第１の係止片と第２の係止片との間隔寸法と、２枚の引戸の重なり合う寸法とが一致しないと掛け留めできないという問題点がある。
【課題を解決するための手段】
【００１０】
本考案はこのような点に基づいてなされたものでその目的とするところは、どの様なタイプの扉、引き戸、引き出しにも適用でき、構造が簡単で操作性が良く、確実に固定することができる仮止め具を提供することにある。
【００１１】
前記目的を達成するべく本考案の請求項１による仮止め具は、弾性材で形成された芯材と該芯材の外周を被覆しゴム材で形成された表面材とからなり側面視三角形状をなす板状体からなることを特徴とするものである。
【００１２】
また、本考案の請求項２による仮止め具は、請求項１記載の仮止め具において、芯材は発泡スチロールから構成され、表面材はシリコン系ゴム材から構成されていることを特徴とするものである。
【００１３】
また、本考案の請求項３による仮止め具は、請求項１または２記載の仮止め具において、板状体の基部に紐体を介して固着手段が取り付けられていることを特徴とするものである。
【００１４】
また、本考案の請求項４による仮止め具は、請求項１〜３のうちいずれか１項記載の仮止め具において、板状体の内部に一部を外方へ張り出させる張り出し手段が設けられていることを特徴とするものである。
【００１５】
また、本考案の請求項５による仮止め具は、請求項４記載の仮止め具において、張り出し手段は、板状体の内部に収納された楔体と、該楔体を板状体の挿入方向に移動させる移動手段とから構成されていることを特徴とするものである。
【考案の効果】
【００１６】
本考案の仮止め具は、食器戸棚の引き出し・引き戸や冷蔵庫の扉、タンスの引き出し・引き戸・観音開扉等のあらゆるタイプの開閉部材に対して、その隙間に挿入係止するだけで確実に仮止拘束できる。そして、該仮止め具は、その構造が簡単で操作性が良く、どの様なタイプの引き出し・引き戸・扉に対しても容易に仮止め機能が発揮できる。
【００１７】
また、本体の芯材を発泡スチロールで形成し、表面材をシリコン系ゴム材により被覆したから、本体は弾力性に富み、表面は滑りにくくなっており、開閉部材間の隙間に挿入し易く、係止するだけで確実に仮止拘束できる。
【００１８】
更に、本体内に本体の中腹部を外部へ張り出させる張り出し手段を設けた場合には、本体を積極的に張り出させられるから、開閉部材間の隙間に挿入した後に、本体を積極的に張り出させることでより強力な締め付けができ、一層確実に仮止拘束できる。また、張り出し手段を、板状体の内部に収納された楔体と、該楔体を板状体の挿入方向に移動させる移動手段とから構成した場合には、簡単な構造でより強力な締め付けができる構成が得られる。
【図面の簡単な説明】
【００１９】
【図１】本考案の第１の実施の形態を示し、仮止め具の斜視図である。
【図２】本考案の第１の実施の形態を示し、仮止め具の断面図である。
【図３】本考案の第１の実施の形態を示し、仮止め具の平面図である。
【図４】本考案の第１の実施の形態を示し、仮止め具の正面図である。
【図５】本考案の第１の実施の形態を示し、仮止め具の左側面図である。
【図６】本考案の第１の実施の形態を示し、仮止め具の右側面図である。
【図７】本考案の第１の実施の形態を示し、本考案の仮止め具を両開き戸に使用した説明図である。
【図８】本考案の第１の実施の形態を示し、本考案の仮止め具を両開き戸に使用した説明図である。
【図９】本考案の第１の実施の形態を示し、本考案の仮止め具を引戸に使用した説明図である。
【図１０】本考案の第１の実施の形態を示し、本考案の仮止め具を片開き扉に使用した説明図である。
【図１１】本考案の第１の実施の形態を示し、本考案の仮止め具を引き出しに使用した説明図である。
【図１２】本考案の第１の実施の形態を示し、本考案の仮止め具を回動カバーに使用した説明図である。
【図１３】本考案の第１の実施の形態を示し、仮止め具の正面図である。
【図１４】本考案の第１の実施の形態を示し、仮止め具の斜視図である。
【図１５】本考案の第１の実施の形態を示し、仮止め具を両開き戸に使用した説明図である。
【図１６】本考案の第２の実施の形態を示し、張り出し手段の一例を備えた仮止め具の断面図である。
【図１７】本考案の第２の実施の形態を示し、張り出し手段の他の例を備えた仮止め具の断面図である。
【考案を実施するための形態】
【００２０】
以下、図１〜図１５を参照して本考案の第１の実施の形態を説明する。第１の実施の形態の仮止め具１０は、図１に示すように、弾性材で形成された芯材３と該芯材３の外周を被覆しゴム材で形成された表面材５とからなり、側面視三角形状をなす板状体である。
該本体１は、尖端１Ａと両斜面１Ｂ，１Ｃと両側面１Ｄ，１Ｅと後端面１Ｆと備えている。前記本体１は芯材３を一例として発泡スチロール４製とするとともに、表面材５を一例としてシリコン系ゴム材６製としている。また、前記本体１の後端面１Ｆには、チェーンや紐等からなる紐体７が取付板Ｐを介在させて付設されている。前記紐体７の自由端には、吸盤８や磁石Ｍ等からなる固着手段９が付設されている。
【００２１】
前記本体１の製造方法は、発泡スチロール４をカッターや裁断機で三角形状の楔形に裁断する。このものは適度な弾力性を有している。続いて、本体の表面に、液状のシリコン系充填材を塗布する。該シリコン系充填材は乾燥して皮膜を形成し、これがシリコン系ゴム材の表面材５として滑りにくくする機能を発揮する。また、他の方法としてはゴム材６を貼着させてもよい。次に、吸盤８又は磁石Ｍからなる固着手段９を紐体であるチェーン７の片端に繋ぎ、他端に取り付けた固着板１１を本体の後端面１Ｆに貼着させて取り付ける。尚、この紐体７は必ずしもなくても使用可能である。
【００２２】
本考案の第１の実施形態となる仮止め具１０は、以上のような構成からなり、次のように作用して扉、引き戸、引き出し等の開閉部材の仮止め機能を発揮する。
先ず、図７と図８の両開き扉１５において、本考案の仮止め具１０を手に持ち、その尖端１Ａから左右の扉１５Ａ，１５Ｂの隙間Ｘに挿入する。この時の挿入圧Ｆ１は、本体１の両斜面１Ｂ，１Ｃのほぼ中腹部が窪み十分な反発力Ｆ２が得られて容易には外れない保持力を確保させる程度とする。
【００２３】
この後、固着手段９を何れかの扉の表面（金属性ならば吸盤８又は磁石Ｍの何れでも良い）に付着させる。この状態において、地震等の不用意な外力が両開き扉１５の左右の扉１５Ａ，１５Ｂに働いても、開く為には更なる強い押し付け力で本体を圧縮変形させないと開口しない。これにより、地震等の不用意な外力が両開き扉１５の左右の扉１５Ａ，１５Ｂに働いても、開口せず不用意な開口による事故を防止できる。
【００２４】
図９は、戸棚１６等のガラス引戸の場合であって、本考案の仮止め具１０を手に持ち、その尖端１Ａから左右の引戸１６Ａ，１６Ｂの隙間Ｘに挿入する。この時の挿入圧Ｆ１は、本体１の両斜面１Ｂ，１Ｃのほぼ中腹部が窪み十分な反発力Ｆ２が得られて容易には外れない保持力を確保させる程度とする。この後、固着手段９（ガラス製ならば吸盤８）を何れかの扉の表面に付着させる。これにより、地震等の不用意な外力が引戸の開き方向に働いても、本体による摩擦抵抗があって開口せず、不用意な開口による事故を防止できる。
【００２５】
図１０は、冷蔵庫等の片開き扉１７の場合であって、本考案の仮止め具１０を手に持ち、その尖端１Ａから天板１８と扉１７との隙間Ｘに挿入する。この時の挿入圧Ｆ１は、本体１の両斜面１Ｂ，１Ｃのほぼ中腹部が窪み十分な反発力Ｆ２が得られて容易には外れない保持力を確保させる程度とする。この後、固着手段９を扉の表面に吸盤８又は磁石Ｍの何れでも良い）に付着させる。これにより、地震等の不用意な外力が扉の開き方向に働いても、本体による摩擦抵抗があって開口せず、不用意な開口による事故を防止できる。
【００２６】
図１１は、机１９等の引き出し１９Ａの場合であって、本考案の仮止め具１０を手に持ち、その尖端１Ａから天板Ｄと引き出し１９Ａとの隙間Ｘに挿入する。この時の挿入圧Ｆ１は、本体１の両斜面１Ｂ，１Ｃのほぼ中腹部が窪み十分な反発力Ｆ２が得られて容易には外れない保持力を確保させる程度とする。この後、固着手段９（吸盤８又は磁石Ｍの何れでも良い）を扉の表面に付着させる。これにより、地震等の不用意な外力が引き出しの開き方向に働いても、本体による摩擦抵抗があって開口せず、不用意な開口による事故を防止できる。
【００２７】
図１２は、調味料等の収納ケースＫ等の回動カバーＫ１の場合であって、本考案の仮止め具１０を手に持ち、その尖端１Ａから収納ケースＫと回動カバーＫ１との隙間Ｘに挿入する。この時の挿入圧Ｆ１は、本体１の両斜面１Ｂ，１Ｃのほぼ中腹部が窪み十分な反発力Ｆ２が得られて容易には外れない保持力を確保させる程度とする。この後、固着手段９を回動カバーＫ１の表面に吸盤８により付着させる。これにより、地震等の不用意な外力が回動カバーＫ１の開き方向に働いても、本体による摩擦抵抗があって開口せず、不用意な開口による事故を防止できる。
【００２８】
また、図１３〜図１４には前記第１の実施の形態の仮止め具１０を変更使用する場合を示している。本実施の形態の仮止め具１０は、前記の第１の実施による仮止め具１０と概略において同一の構成を有している。そのため、図１５に示すような隙間に奥行きがない場合や、隙間が広い場合に、本体を任意の位置（例えばＡ−Ａ線）で切断することが可能な構成であり、必要に応じて切断して、両斜面１Ｂ，１Ｃを両扉の表面に所定の圧力で押圧することができる。尚、紐体については、本実施の形態では備えている構成としたが、備えていなくても使用可能である。
【００２９】
以上のように、本考案の仮止め具１０によると、食器戸棚の引き出し・引き戸や冷蔵庫の扉、タンスの引き出し・引き戸・観音開扉等のあらゆるタイプの開閉部材に対して適用可能で、その隙間に挿入係止するだけで確実に仮止拘束できる。
また、該仮止め具は、その構造が簡単で操作性が良く、どの様なタイプの引き出し・引き戸・扉に対しても仮止め機能が発揮できる。
また、本体の芯材を発泡スチロールで形成し、表面材をシリコン系ゴム材で被覆したから、弾力性に富み、開閉部材間の隙間に挿入し易く、しかも滑りにくくなっているので、係止するだけで確実に仮止拘束できる。
また、隙間に奥行きがない場合や、隙間が広い場合には、本体を適当な位置で切断して両斜面の幅を広くして使用することで対応可能である。
従って、本考案の仮止め具によると、地震の際の揺れに対しても扉等の開放を阻止して、食器、食品、生活用品等の飛び出しや散乱を防ぐことができる。また、地震の際の逃げ道の確保もできる。
また、船舶等の場合も、揺れに対して、食器、食品、生活用品等の飛び出しや散乱を防ぐことができる。
また、引っ越しや家具の移動等の際には、運搬中や移動中に動いたり、開いたりしてしまう物を固定する器具として使用でき、安全且つ楽に物を運ぶことができる。
【００３０】
次に、図１６，図１７を参照して本考案の第２の実施の形態を説明する。この仮止め具２０は、概略において前記第１の実施の形態の仮止め具１０と同一の構成を有している。すなわち、本体１は尖端１Ａと両斜面１Ｂ，１Ｃと両側面１Ｄ，１Ｅと後端面１Ｆとからなる。前記本体１は芯材３を発泡スチロール４とするとともに、表面材５をシリコン系ゴム材６としている。また、前記本体１の後端面１Ｆには紐体７が付設され、前記紐体７の自由端には固着手段９が付設されている。そして、上記構成に加えて、前記本体１の中腹部に内蔵して中腹部Ａを外部へ張り出させる張り出し手段２５を備えている。
【００３１】
前記張り出し手段２５は、先ず、本体１内にこの外形と類似した三角形状の空間Ｓ１を設け、前記空間Ｓ１内に台形状の楔体２６を内蔵させ、前記楔体２６に連結し楔体２６を板状体の挿入方向に移動させることにより本体１の尖端側への前進時に本体の中腹部Ａを外部へ張り出させる移動手段（送り棒）２７を設けたものである。前記送り棒２７は、その先端部２７Ａを楔体２６の背面に回転自在に係合させており、後端側のネジ部２７Ｂを後端面１Ｆに付設された取付板Ｐの雌ネジ２８に螺合し、その操作部２７Ｃを本体１の後端面１Ｆの外側に設けたものである。この操作部２７Ｃには、紐体７と、この自由端に固着手段９とが付設されている。
【００３２】
前記第２の実施形態の仮止め具２０はこのように構成されており、以下のように作用する。先ず、図７において、本考案の仮止め具２０を手に持ち、その尖端１Ａから左右の扉１５Ａ，１５Ｂの隙間Ｘに両斜面１Ｂ，１Ｃが扉１５Ａ，１５Ｂの内面に当接するまで挿入する。ここで、送り棒２７の操作部２７Ｃを手回しして送り棒２７を本体１の尖端１Ａ側へ前進させると、楔体２６が本体の中腹部Ａを押し出して両斜面１Ｂ，１Ｃの一部を張り出させる。この中腹部Ａを張り出させることで、より一層強固な仮止め機能が得られる。これにより、例えば地震等の不用意な外力で両開き扉１５の左右の扉１５Ａ，１５Ｂに働いても、強力な保持力を発揮して開口せず、不用意な開口による事故を一層確実に防止できる。外す時は、送り棒２７の操作部２７Ｃを手回しして送り棒２７を本体１の後端面１Ｆ側へ後退させると、楔体２６が本体の中腹部Ａを窪ませれば、容易に取り外すことができる。
【００３３】
尚、前記張り出し手段２５としては、前記実施の形態に示した楔体と移動手段を用いたものを例示したが、これに限られるもではなく、例えば、図１７に示すように、移動手段の先端に楔体２９を形成してこれを本体１内部に内蔵させ、移動手段（棒体）３０を進退させることにより本体１の一部を膨出させる機構とすることもできる。尚、移動手段（棒体）３０には取付板Ｐとの間に係止手段（係止突起）を設け、押し込み時にその状態を維持するように構成することもできる。また、移動手段は後退時に本体を膨出させる機構とすることもできる。例えば、屈曲・伸長可能な折り曲げ棒体を内蔵させ、移動手段によりその一方を進退させて張り出したりすぼめたりする機構等とすることが考えられる。
【００３４】
以上のように、第２の実施の形態の仮止め具２０によると、本体内に本体の中腹部を外部へ張り出させる張り出し手段２５とこの操作部２７Ｃとを設けたから、開閉部材間の隙間に挿入した後に、本体１の一部を積極的に張り出させることによって、より一層確実に仮止拘束できる。
【００３５】
尚、本考案の仮止め具１０，２０は、前記実施の形態に限定されるものではなく考案の要旨内で適宜設計変更することができることは勿論である。例えば、本体１の材質は、前記実施の形態で例示した材質に限定されず、芯材として弾力性があり、表面材として適度な摩擦力の得られる材質であればよいものであって、適宜変更が可能である。また、紐体や固着手段も前記の実施の形態で例示したものに限らず、種々の構成に変更可能である。
【産業上の利用可能性】
【００３６】
本考案の仮止め具は、地震等において問題となる食器戸棚の引き出し、引き戸や冷蔵庫の扉、タンスの引き出し、引き戸、観音開扉等について説明したが、それらに限定されるものではなく、あらゆる用途に造られた扉、引戸、引き出し等の開閉部分の簡易な固定について利用可能性を有する。
【符号の説明】
【００３７】
１                本体
１Ａ              尖端
１Ｂ，１Ｃ        両斜面
１Ｄ，１Ｅ        両側面
１Ｆ              後端面
３                芯材
４                発泡スチロール
５                表面材
６                シリコン系ゴム材
７                紐体（チェーン）
８                吸盤
９                固着手段
１０，２０，３０  仮止め具
１１              固着板
１５Ａ，１５Ｂ    扉
１６Ａ，１６Ｂ    引戸
１７              片開き扉
１８              天板
１９              机
１９Ａ            引き出し
２５              張り出し手段
２６              楔体
２７              送り棒
２７Ａ            先端部
２７Ｂ            ネジ部
２７Ｃ            操作部
２８              雌ネジ
２９              楔体
３０              移動手段（棒体）
３１              係止手段（係止突起）
Ａ                中腹部
Ｄ                天板
Ｆ１              挿入圧
Ｆ２              反発力
Ｋ                収納ケース
Ｋ１              回動カバー
Ｍ                磁石
Ｐ                取付板
Ｓ１              空間
Ｘ                隙間
【図１】
0003152750.tif 000003
【図２】
0003152750.tif 000004
【図３】
0003152750.tif 000005
【図４】
0003152750.tif 000006
【図５】
0003152750.tif 000007
【図６】
0003152750.tif 000008
【図７】
0003152750.tif 000009
【図８】
0003152750.tif 000010
【図９】
0003152750.tif 000011
【図１０】
0003152750.tif 000012
【図１１】
0003152750.tif 000013
【図１２】
0003152750.tif 000014
【図１３】
0003152750.tif 000015
【図１４】
0003152750.tif 000016
【図１５】
0003152750.tif 000017
【図１６】
0003152750.tif 000018
【図１７】
0003152750.tif 000019